【手続補正書】
【提出日】平成28年10月19日(2016.10.19)
【手続補正１】
【補正対象書類名】明細書
【補正対象項目名】０１３０
【補正方法】変更
【補正の内容】
【０１３０】
本発明はその具体的実施形態を基準にして記述されてきたが、当業者であれば、添付のクレームによって規定されている通りの本発明の真の精神及び範囲から逸脱することなく、さまざまな変更を加えることができ、等価物で置換することができるということを、理解するはずである。さらに、特定の状況、材料、物質の組成、方法、プロセス段階（単複）を本発明の目的、精神及び範囲に適合させるように、数多くの修正を行なうことも可能である。かかる修正は全て本書に添付の特許請求の範囲内に入るように意図される。特に、本書で開示されている方法は、特定の順序で実施される特定の作業を基準にして記述されてきたが、本発明の教示から逸脱することなく等価の方法を形成するべく、これらの作業を組合せるか、細分するか又は順序付けし直すことが可能であるものと理解される。従って、本書に別段の具体的指示のないかぎり、作業の順序及びグループ分けは、本発明の制限とはならない。本発明の実施態様の一部を以下の項目［１］−［２６］に記載する。
［１］
セルロース系材料及びこのセルロース系材料中に分散した複数のマイクロカプセルを含む繊維本体を含むセルロース系繊維において、複数のマイクロカプセルが、少なくとも４０Ｊ／ｇの潜熱及び０℃〜１００℃の範囲内の転移温度をもつ相変化材料を封じ込め、相変化材料が、転移温度での潜熱の吸収及び放出のうちの少なくとも１つに基づいた熱調節を提供する、セルロース系繊維。
［２］
セルロース系材料がセルロース及び酢酸セルロースのうちの少なくとも１つを含む、項目１に記載のセルロース系繊維。
［３］
複数のマイクロカプセルが０．１〜２０ミクロンの範囲内のサイズを有する、項目１に記載のセルロース系繊維。
［４］
複数のマイクロカプセルが、そのサイズに関して単分散である、項目１に記載のセルロース系繊維。
［５］
相変化材料の潜熱が６０Ｊ／ｇ〜４００Ｊ／ｇの範囲内にある、項目１に記載のセルロース系繊維。
［６］
相変化材料の転移温度が０℃〜５０℃の範囲内にある、項目１に記載のセルロース系繊維。
［７］
相変化材料がパラフィン系炭化水素を含んでいる項目１に記載のセルロース系繊維。
［８］
相変化材料が多価アルコールを含む、項目１に記載のセルロース系繊維。
［９］
相変化材料がポリエチレングリコール、ポリエチレンオキシド、ポリテトラメチレングリコール及びポリエステルのうちの１つを含む、項目１に記載のセルロース系繊維。
［１０］
相変化材料を封じ込める複数のマイクロカプセルを５重量パーセント〜４０重量パーセント含む、項目１に記載のセルロース系繊維。
［１１］
６パーセント〜１５パーセントの範囲内の吸湿率を有する、項目１に記載のセルロース系繊維。
［１２］
０．１デシテックス〜６０デシテックスである、項目１に記載のセルロース系繊維。
［１３］
増強された可逆的熱特性を有しかつ
−  セルロース系材料及び該セルロース系材料の内部に分散した温度調節材料を含む延長部材を含む繊維本体であって、該温度調節材料には０℃〜５０℃の範囲内の転移温度を有する相変化材料が含まれている繊維本体、
を含むセルロース系繊維を含んでいる複数のセルロース系繊維の配合物を含む布帛。
［１４］
複数のセルロース系繊維が不織プロセスにより共に配合されている、項目１３に記載の布帛。
［１５］
５Ｊ／ｇ〜６０Ｊ／ｇの範囲内の潜熱を有する、項目１３に記載の布帛。
［１６］
１２グラム／グラム〜３５グラム／グラムの範囲内の吸湿率を有する、項目１３に記載の布帛。
［１７］
１５グラム／グラム〜３０グラム／グラムの範囲内の吸湿率を有する、項目１３に記載の布帛。
［１８］
１５ｇ／ｍ2〜４００ｇ／ｍ2の範囲内の単位体積重量を有する項目１３に記載の布帛。
［１９］
セルロース系材料がセルロースと酢酸セルロースのうちの１つを含む、項目１３に記載の布帛。
［２０］
相変化材料の転移温度が２２℃〜４０℃の範囲内にある、項目１３に記載の布帛。
［２１］
相変化材料がパラフィン系炭化水素、多価アルコール、ポリエチレングリコール、ポリエチレンオキシド、ポリテトラメチレングリコール及びポリエステルのうちの１つを含む、項目１３に記載の布帛。
［２２］
温度調節材料がさらに、相変化材料を封じ込める複数のマイクロカプセルをさらに含む、項目１３に記載の布帛。
［２３］
繊維本体が、前記延長部材を含んでいる複数の延長部材で形成されている、項目１３に記載の布帛。
［２４］
複数の延長部材が、アイランド・イン・シー構成、セグメント化パイ構成、コア・シース構成、サイドバイサイド構成及びストライプ構成のうちの１つの形に配置されている、項目２３に記載の布帛。
［２５］
セルロース系繊維が第１のセルロース系繊維であり、温度調節材料が第１の温度調節材料であり、複数のセルロース系繊維が、増強した可逆的熱特性を有し第２の温度調節材料を含む第２のセルロース系繊維を含む、項目１３に記載の布帛。
［２６］
第１の温度調節材料と第２の温度調節材料が異なるものである、項目２５に記載の布帛。
【手続補正２】
【補正対象書類名】特許請求の範囲
【補正対象項目名】全文
【補正方法】変更
【補正の内容】
【特許請求の範囲】
【請求項１】
増強された可逆的熱特性を有し、かつ延長部材で形成された繊維本体を含む繊維であって、
該延長部材は、セルロース系又はビスコース系材料とカプセル化されていない相変化材料とを含み、
該カプセル化されていない相変化材料は、該セルロース系又はビスコース系材料内に分散している複数のドメインを形成しており、
該カプセル化されていない相変化材料は、１５℃〜４５℃の範囲内の転移温度を有し、
該カプセル化されていない相変化材料は、該転移温度での潜熱の吸収及び放出のうちの少なくとも１つに基づいた熱調節を提供し、
該繊維本体は、５重量％〜７０重量％の該カプセル化されていない相変化材料を含み、
該カプセル化されていない相変化材料は、第１の温度調節材料であり、かつ
該カプセル化されていない相変化材料は、パラフィン系炭化水素、ポリエチレングリコール、ポリエチレンオキシド、炭化水素、脂肪酸、脂肪酸エステル、二塩基酸、二塩基エステル、及び重合体の少なくとも１つを含む、
前記繊維。
【請求項２】
前記繊維は、２１℃及び相対湿度６５％で少なくとも５％の吸湿率を有する、請求項１に記載の繊維。
【請求項３】
前記繊維は、２１℃及び相対湿度６５％で約６％〜約１５％の吸湿率を有する、請求項１又は２に記載の繊維。
【請求項４】
前記繊維本体は、リヨセルタイプのセルロース系材料を含む、請求項１〜３のいずれか１項に記載の繊維。
【請求項５】
前記繊維本体は、ビスコース系材料を含む、請求項１〜３のいずれか１項に記載の繊維。
【請求項６】
前記カプセル化されていない相変化材料は、４０Ｊ／ｇ〜４００Ｊ／ｇの潜熱を有する、請求項１〜５のいずれか１項に記載の繊維。
【請求項７】
前記繊維本体は、前記カプセル化されていない相変化材料を封じ込める複数のマイクロカプセルをさらに含む、請求項１〜６のいずれか１項に記載の繊維。
【請求項８】
前記繊維本体が、複数の延長部材で形成されており、かつ該複数の延長部材は、前記延長部材と第２の延長部材とを含む、請求項１〜７のいずれか１項に記載の繊維。
【請求項９】
前記複数の延長部材が、アイランド・イン・シー構成、セグメント化パイ構成、コア・シース構成、サイドバイサイド構成及びストライプ構成のうちの１つの形に配置されている、請求項８に記載の繊維。
【請求項１０】
前記延長部材は、セルロース系材料を含み、かつ前記第２の延長部材は、第２のセルロース系材料を含む、請求項９に記載の繊維。
【請求項１１】
前記第２のセルロース系材料は、前記セルロース系材料と異なる、請求項１０に記載の繊維。
【請求項１２】
前記カプセル化されていない相変化材料は、パラフィン系炭化水素を含む、請求項１〜１１のいずれか１項に記載の繊維。
【請求項１３】
前記カプセル化されていない相変化材料は、１０〜４４個の炭素原子をもつパラフィン系炭化水素を含む、請求項１〜１２のいずれか１項に記載の繊維。
【請求項１４】
寝具用断熱材であって、
該断熱材は、増強された可逆的熱特性を有する繊維を含み、
該繊維は、延長部材で形成された繊維本体を含み、
該延長部材は、セルロース系又はビスコース系材料とカプセル化されていない相変化材料とを含み、
該カプセル化されていない相変化材料は、該セルロース系又はビスコース系材料内に分散している複数のドメインを形成しており、
該カプセル化されていない相変化材料は、２２℃〜４０℃の範囲内の転移温度を有し、
該カプセル化されていない相変化材料は、該転移温度での潜熱の吸収及び放出のうちの少なくとも１つに基づいた熱調節を提供し、
該繊維本体は、５重量％〜７０重量％の該カプセル化されていない相変化材料を含み、
該カプセル化されていない相変化材料は、第１の温度調節材料であり、かつ
該カプセル化されていない相変化材料は、パラフィン系炭化水素、ポリエチレングリコール、ポリエチレンオキシド、炭化水素、脂肪酸、脂肪酸エステル、二塩基酸、二塩基エステル、及び重合体の少なくとも１つを含む、
前記寝具用断熱材。
【請求項１５】
前記断熱材は繊維混合物をさらに含み、かつ該繊維混合物は、前記繊維と、ポリエステル、ポリアミド、天然重合体、ポリオレフィン、ポリアクリル系重合体、及びこれらの共重合体の少なくとも１つを有する第２の延長部材とを含む、請求項１４に記載の断熱材。
【請求項１６】
前記断熱材は繊維の不織混合物をさらに含み、かつ該繊維の不織混合物は、前記繊維と、ポリエステル、ポリアミド、天然重合体、ポリオレフィン、ポリアクリル系重合体、及びこれらの共重合体の少なくとも１つを有する第２の延長部材とを含む、請求項１４に記載の断熱材。
【請求項１７】
前記繊維は、２１℃及び相対湿度６５％で少なくとも５％の吸湿率を有する、請求項１４〜１６のいずれか１項に記載の断熱材。
【請求項１８】
前記繊維は、２１℃及び相対湿度６５％で約６％〜約１５％の吸湿率を有する、請求項１４〜１７のいずれか１項に記載の断熱材。
【請求項１９】
前記繊維本体は、リヨセルタイプのセルロース系材料を含む、請求項１４〜１８のいずれか１項に記載の断熱材。
【請求項２０】
前記繊維本体は、ビスコース系材料を含む、請求項１４〜１８のいずれか１項に記載の断熱材。
【請求項２１】
前記カプセル化されていない相変化材料は、４０Ｊ／ｇ〜４００Ｊ／ｇの潜熱を有する、請求項１４〜２０のいずれか１項に記載の断熱材。
【請求項２２】
前記繊維本体は、前記カプセル化されていない相変化材料を封じ込める複数のマイクロカプセルをさらに含む、請求項１４〜２１のいずれか１項に記載の断熱材。
【請求項２３】
前記繊維本体が、複数の延長部材で形成されており、かつ該複数の延長部材は、前記延長部材と第２の延長部材とを含む、請求項１４〜２２のいずれか１項に記載の断熱材。
【請求項２４】
前記複数の延長部材が、アイランド・イン・シー構成、セグメント化パイ構成、コア・シース構成、サイドバイサイド構成及びストライプ構成のうちの１つの形に配置されている、請求項２３に記載の断熱材。
【請求項２５】
前記延長部材は、セルロース系材料を含み、かつ前記第２の延長部材は、第２のセルロース系材料を含む、請求項２４に記載の断熱材。
【請求項２６】
前記第２のセルロース系材料は、前記セルロース系材料と異なる、請求項２５に記載の断熱材。
【請求項２７】
前記カプセル化されていない相変化材料は、パラフィン系炭化水素を含む、請求項１４〜２６のいずれか１項に記載の断熱材。
【請求項２８】
前記カプセル化されていない相変化材料は、１０〜４４個の炭素原子をもつパラフィン系炭化水素を含む、請求項１４〜２７のいずれか１項に記載の断熱材。
【請求項２９】
前記断熱材は、前記繊維本体と第２の繊維本体とを含み、該繊維本体は、リヨセルタイプのセルロース系材料とビスコース系材料の一方を含み、かつ該第２の繊維本体は、リヨセルタイプのセルロース系材料とビスコース系材料の他方を含む、請求項１４〜２８のいずれか１項に記載の断熱材。
【請求項３０】
増強された可逆的熱特性を有し、かつ延長部材で形成された繊維本体を含む繊維と、
第２の延長部材と
を含む繊維混合物であって、
該延長部材は、セルロース系材料とカプセル化されていない相変化材料とを含み、
該カプセル化されていない相変化材料は、該セルロース系材料内に分散している複数のドメインを形成しており、
該カプセル化されていない相変化材料は、２２℃〜４０℃の範囲内の転移温度を有し、
該カプセル化されていない相変化材料は、該転移温度での潜熱の吸収及び放出のうちの少なくとも１つに基づいた熱調節を提供し、
該繊維本体は、５重量％〜７０重量％の該カプセル化されていない相変化材料を含み、
該カプセル化されていない相変化材料は、第１の温度調節材料であり、
該カプセル化されていない相変化材料は、パラフィン系炭化水素、ポリエチレングリコール、ポリエチレンオキシド、炭化水素、脂肪酸、脂肪酸エステル、二塩基酸、二塩基エステル、及び重合体の少なくとも１つを含み、かつ
該第２の延長部材は、ポリエステル、ポリアミド、天然重合体、ポリオレフィン、ポリアクリル系重合体、及びこれらの共重合体の少なくとも１つを含む、
前記繊維混合物。
【請求項３１】
不織である、請求項３０に記載の繊維混合物。
【請求項３２】
前記繊維は、２１℃及び相対湿度６５％で少なくとも５％の吸湿率を有する、請求項３０又は３１に記載の繊維混合物。
【請求項３３】
前記繊維は、２１℃及び相対湿度６５％で約６％〜約１５％の吸湿率を有する、請求項３０〜３２のいずれか１項に記載の繊維混合物。
【請求項３４】
前記繊維本体は、リヨセルタイプのセルロース系材料を含む、請求項３０〜３３のいずれか１項に記載の繊維混合物。
【請求項３５】
前記繊維本体は、ビスコース系材料を含む、請求項３０〜３３のいずれか１項に記載の繊維混合物。
【請求項３６】
前記カプセル化されていない相変化材料は、４０Ｊ／ｇ〜４００Ｊ／ｇの潜熱を有する、請求項３０〜３５のいずれか１項に記載の繊維混合物。
【請求項３７】
前記繊維本体は、前記カプセル化されていない相変化材料を封じ込める複数のマイクロカプセルをさらに含む、請求項３０〜３６のいずれか１項に記載の繊維混合物。
【請求項３８】
前記繊維本体が、複数の延長部材で形成されており、かつ該複数の延長部材は、前記延長部材と第２の延長部材とを含む、請求項３０〜３７のいずれか１項に記載の繊維混合物。
【請求項３９】
前記複数の延長部材が、アイランド・イン・シー構成、セグメント化パイ構成、コア・シース構成、サイドバイサイド構成及びストライプ構成のうちの１つの形に配置されている、請求項３８に記載の繊維混合物。
【請求項４０】
前記延長部材は、セルロース系材料を含み、かつ前記第２の延長部材は、第２のセルロース系材料を含む、請求項３９に記載の繊維混合物。
【請求項４１】
前記第２のセルロース系材料は、前記セルロース系材料と異なる、請求項４０に記載の繊維混合物。
【請求項４２】
前記カプセル化されていない相変化材料は、パラフィン系炭化水素を含む、請求項３０〜４１のいずれか１項に記載の繊維混合物。
【請求項４３】
前記カプセル化されていない相変化材料は、１０〜４４個の炭素原子をもつパラフィン系炭化水素を含む、請求項３０〜４２のいずれか１項に記載の繊維混合物。
【請求項４４】
前記繊維混合物は、前記繊維本体と第２の繊維本体とを含み、該繊維本体は、リヨセルタイプのセルロース系材料とビスコース系材料の一方を含み、かつ該第２の繊維本体は、リヨセルタイプのセルロース系材料とビスコース系材料の他方を含む、請求項３０〜４３のいずれか１項に記載の繊維混合物。